(57)【要約】【解決手段】  防振用床支持脚構造は、二階建の住宅の二階の床基盤1 上に置かれた下部金属板2 と、下部金属板2 上に配置された防振材3 と、防振材3 上に立設されかつ下端に防振材3 に圧接する上部金属板4 を有する支持脚5 とを備えてなる。下部金属板2 は外径７７ｍｍ、内径４０ｍｍ、厚さ１．６ｍｍの金属ドーナツ板からなる。防振材3 はポリ塩化ビニル系エラストマー製の直径５７ｍｍ、厚さ１５ｍｍの円板からなる。上部金属板4 は直径７７ｍｍ、厚さ３．２ｍｍの円板からなり、その中心部に支持脚5 が立上がり状に配され、固定されている。【効果】  上部金属板の上面に掛けられた接着剤は、防振材の周側面に接触することなく、上部金属板から下部金属板に垂れ、下部金属板および床基盤上を覆い、下部金属板と床基盤の間に入り込む。したがって、支持脚と床基盤が接着剤膜によって防振材の周側面を経て連結されてサウンドブリッジが形成されない。【選択図】    図１
2005320818.tif 000002
【特許請求の範囲】
【請求項１】
床基盤上に置かれた下部金属板と、下部金属板の上に配置された防振材と、防振材の上
に立設されかつ下端に防振材に圧接する上部金属板を有する支持脚とを備えた床支持脚構
造において、防振材が厚さ５ｍｍ以上、直径３０ｍｍ以上、受圧面積６ｃｍ２ 以上を有
し、上部金属板の外縁部が防振材より突出していることを特徴とする防振用床支持脚構造
。
【請求項２】
防振材が荷重５００Ｎで静的バネ定数３００〜７００Ｎ／ｍｍを有する材料からなるこ
とを特徴とする請求項１記載の防振用床支持脚構造。
【請求項３】
防振材が熱可塑性樹脂組成物からなることを特徴とする請求項１または２記載の防振用
床支持脚構造。
【発明の詳細な説明】
【技術分野】
【０００１】
本発明は、浴室や二重床のような浮き床における防振用床支持脚構造に関し、より詳し
くは、床基盤上に配設された下部金属板と、下部金属板上に配置された防振材と、防振材
上に立設されかつ下端に防振材に圧接する上部金属板を有する支持脚とを備えた防振用床
支持脚構造に関するものである。
【背景技術】
【０００２】
近年、集合住宅などにおいて、構造躯体として大型のスラブが用いられることが多い。
大型のスラブの使用は、間取り設計の自由度を増し、大空間の設計を可能にするなどの利
点がある反面、上階に浴室があり下階に居室がある場合、とりわけこれらが同一スパン内
に存在する場合、上階の浴室で発生した床衝撃音が下階の居室に騒音として伝わる恐れが
ある。居室の直上に浴室が存在する場合、浴室で発生した床衝撃音が騒音として真下の居
室に直に伝わる恐れがある。そのため、浴室で発生した床衝撃音を騒音として他の場所へ
伝搬するのを効果的に防ぐことができる防振用床支持脚の要望が高まって来ている。
【０００３】
従来、このような床支持脚構造として、図２に示すように、ユニットル−ム等の床パン
(31)の裏面に固定されたナット部材(32)と、このナット材に螺合されたボルト支持脚(33)
と、このボルト支持脚の頭部(34)が挿入される凹部(35)と当該頭部を覆う小径の首部(36)
とを有する例えばゴム様弾性体等からなる緩衝材(37)とからなる床パン支持脚構造が提案
されている（特許文献１）。緩衝材(37)は床基盤(38)上に設けられ、ボルト支持脚の頭部
(34)は支持脚軸よりも膨出され緩衝材(37)の首部(36)から抜け出ないようになされている
。
【０００４】
また、図３に示すように、床パンを支持する支持脚(41)の下側に防振部材(42)が設置さ
れ、該防振部材が、中心孔(43)を有する環状のゴムブロック(44)と、該ゴムブロックの上
面に重なる上部金属板(45)とを備え、支持脚(41)が上部金属板(45)に接着剤(47)で固定さ
れている床パン防振支持構造も提案されている（特許文献２）。ゴムブロック(44)と床基
盤(46)の間には下部金属板(48)が介在されている。ゴムブロック(44)と上部金属板(45)は
同じ外径を有する。
【０００５】
しかし、これらの床パン防振支持構造を床基盤に接着剤で固定する際、特許文献１の防
振支持構造では緩衝材(37)の上面に掛けられた接着剤は、同上面から緩衝材(37)の周側面
を伝って垂れ床基盤(38)の上面を覆いさらには緩衝材(37)と床基盤(38)の間に入り込み、
特許文献２の防振支持構造では上部金属板(45)の上面に掛けられた接着剤は、同上面から
ゴムブロック(44)の周側面を伝って垂れ床基盤(46)の上面を覆いさらには下部金属板(48)
と床基盤(46)の間に入り込む。この結果、緩衝材(37)または上部金属板(45)に固定された
支持脚と床基盤とが接着剤膜によって緩衝材(37)の周側面またはゴムブロック(44)の周側
面を経て連結されてサウンドブリッジが形成されてしまい、本来の防振性能が発現せず、
遮音性能が低下してしまうという問題がある。
【特許文献１】特開平９−１０５１６４号公報
【特許文献２】特開平９−２４２１５１号公報
【発明の開示】
【発明が解決しようとする課題】
【０００６】
本発明は、従来技術の上記問題を解決することができる、浴室および二重床における防
振用床支持脚構造を提供することを課題とする。
【課題を解決するための手段】
【０００７】
本発明による防振用床支持脚構造は、床基盤上に置かれた下部金属板と、下部金属板の
上に配置された防振材と、防振材の上に立設されかつ下端に防振材に圧接する上部金属板
を有する支持脚とを備えた床支持脚構造において、防振材が厚さ５ｍｍ以上、直径３０ｍ
ｍ以上、受圧面積６ｃｍ２ 以上を有し、上部金属板の外縁部が防振材より突出している
ことを特徴とするものである。
【０００８】
好ましい防振材は荷重５００Ｎで静的バネ定数３００〜７００Ｎ／ｍｍを有する材料か
らなるものである。
【０００９】
防振材の好ましい材質は、ポリ塩化ビニル系エラストマー、ポリスチレン系エラストマ
ー等の熱可塑性樹脂組成物である。
【００１０】
本発明による防振用床支持脚構造の好適な例としては、下部金属板が
外径６０〜１００ｍｍで、その中心部に内径１５〜４０ｍｍの透孔を有し、厚さが１ｍｍ
以上である金属ドーナツ板からなり、防振材が直径５０〜７０ｍｍ、厚さ１０〜１５ｍｍ
の円板ないしはドーナツ板からなり、上部金属板が直径６０〜１００ｍｍ、厚さ２ｍｍ以
上の円板からなるものである。
【発明の効果】
【００１１】
本発明による防振用床支持脚構造では、上部金属板の外径が防振材の外径より大きいの
で、同支持脚構造を床基盤に接着剤で固定する場合であっても、上部金属板の上面に掛け
られた接着剤が、防振材の周側面と接触することなく垂れて下部金属板に達し床基盤上面
を覆い下部金属板と床基盤の間に入り込む。したがって、支持脚と床基盤が接着剤膜によ
って防振材の周側面を経て連結されてサウンドブリッジが形成されることがなく、本来の
防振性能が発現できて良好な遮音性能が維持される。
【発明を実施するための最良の形態】
【００１２】
つぎに、本発明を具体的に説明するために、本発明の実施例およびこれとの比較を示す
ための比較例をいくつか挙げる。
【００１３】
実施例１
図１において、防振用床支持脚構造は、二階建の住宅の二階の床基盤(1) 上に置かれた
下部金属板(2) と、下部金属板(2) 上に配置された防振材(3) と、防振材(3) 上に立設さ
れかつ下端に防振材(3) に圧接する上部金属板(4) を有する支持脚(5) とを備えてなる。
【００１４】
下部金属板(2) は外径７７ｍｍ、内径４０ｍｍ、厚さ１．６ｍｍの金属ドーナツ板から
なる。
【００１５】
防振材(3) はポリ塩化ビニル系エラストマー（積水化学工業社製、「セキスイコンパウ
ンドＳ２０４Ｔ）製の直径５７ｍｍ、厚さ１５ｍｍの円板（面積２５．５ｃｍ２  ）から
なり、下部金属板(2) の上にそのドーナツ孔(6) を覆い隠すように配置されている。防振
材(3) の受圧面積は１２．９ｃｍ２ で静的バネ定数は４３０Ｎ／ｍｍである。
【００１６】
上部金属板(4) は直径７７ｍｍ、厚さ３．２ｍｍの円板からなり、その中心部に支持脚
(5) が立上がり状に配され、固定されている。
【００１７】
支持脚(5) 表面は雄ネジ(6) になっており、雄ネジ(6) にナット(7) が螺合されている
。
【００１８】
上記構成の防振用床支持脚構造を床基盤に固定するために、上部金属板の上面に接着剤
（ウレタン系１液接着剤、トーヨーポリマー社製、「ルビロン」）が掛けられている。接
着剤は、防振材の周側面に接触することなく、上部金属板から下部金属板に垂れ、下部金
属板および床基盤上を覆い、下部金属板と床基盤の間に入り込む。したがって、支持脚と
床基盤が接着剤膜によって防振材の周側面を経て連結されてサウンドブリッジが形成され
ることがなく、本来の防振性能が発現できて良好な遮音性能が維持される。
【００１９】
上記構成の複数の防振用床支持脚構造によって床下地材が支えられ、床下地材上の床に
市販の浴室ユニット（積水化学社製、「ＦＰＮ−１２１６」）が据え付けられる。
【００２０】
実施例２
この防振用床支持脚構造は、防振材(3) を外径５７ｍｍ、内径２０ｍｍ、厚さ１５ｍｍ
のドーナツ型ものに代えた以外、実施例１のものと同じである。防振材(3) の受圧面積は
１２．９ｃｍ２ で静的バネ定数は４１０Ｎ／ｍｍである。
【００２１】
実施例３
この防振用床支持脚構造は、防振材(3) を厚み１０ｍｍのものに代えた以外、実施例１
のものと同じである。防振材(3) の受圧面積は１２．９ｃｍ２ で静的バネ定数は５１０
Ｎ／ｍｍである。
【００２２】
実施例４
この防振用床支持脚構造は、防振材(3) を厚み１０ｍｍのものに代え、かつ下部金属板
(2) を外径５７ｍｍ、内径２５ｍｍのものに代えた以外、実施例１のものと同じである。
防振材(3) の受圧面積は２０．６ｃｍ２ で静的バネ定数は５６０Ｎ／ｍｍである。
【００２３】
比較例１
この防振用床支持脚構造は、上部金属板(4) を直径５７ｍｍ（防振材と同じ）のものに
代えた以外、実施例１のものと同じである。防振材(3) の受圧面積は１２．９ｃｍ２ で
静的バネ定数は４３０Ｎ／ｍｍである。
【００２４】
上部金属板の上面に掛けられた接着剤は、同上面から防振材の周側面を伝って垂れ床基
盤の上面を覆いさらには下部金属板と床基盤の間に入り込む。この結果、上部金属板に固
定された支持脚と床基盤とが接着剤膜によって防振材の周側面を経て連結されてサウンド
ブリッジが形成されてしまい、本来の防振性能が発現せず、遮音性能が低下してしまう。
【００２５】
比較例２
この防振用床支持脚構造は、上部金属板(4) を直径５７ｍｍ（防振材と同じ）のものに
代え、かつ防振材(3) を厚み１０ｍｍのものに代えた以外、実施例１のものと同じである
。防振材(3) の受圧面積は１２．９ｃｍ２ で静的バネ定数は５１０Ｎ／ｍｍである。
【００２６】
比較例３
この防振用床支持脚構造は、防振材および下部金属板を備えず、床下地材を支える支持
脚と、この支持脚の下端に設けられ床基盤に固定される金属板（比較例１の上部金属板と
同じく直径５７ｍｍ、厚さ３．２ｍｍの円板）とからなる。
【００２７】
＜遮音性試験＞
床基盤の厚さ１５０ｍｍ、床面積１２ｍ２ の二階建の住宅で一階を５０ｍ３ の残響室
とした評価棟において、二階において浴室（１２０ｋｇの浴室ユニットの浴槽に１８０ｋ
ｇの湯をはり、洗場に６０ｋｇの荷重を負荷）の床を軽量床衝撃音発生装置（タッピング
）およびゴルフボール（高さ５０ｃｍから落下）を用いて加振し、一階の高さ１．５ｍの
５か所にて軽量床衝撃音（１０秒平均値（Ｌｅｑ）の３回平均）およびゴルフボール衝撃
音（最大値（Ｌｍａｘ）の５回平均）の騒音レベルを計測し、オールパス値（ｄＢ（Ａ）
）で示した。
【００２８】
実施例および比較例の防振用床支持脚構造の各構成部材の寸法、防振材の受圧面積、防
振材の静的バネ定数、および階下騒音を表１および表２にまとめてに示す。
【表１】
2005320818.tif 000003
【００２９】
【表２】
2005320818.tif 000004
【００３０】
表１および表２から明らかなように、実施例による防振用床支持脚構造は、階下騒音が
小さい値を示すことが確認された。
【図面の簡単な説明】
【００３１】
【図１】実施例１による防振用床支持脚構造を示す斜視図である。
【図２】従来の防振用床支持脚構造を示す垂直断面図である。
【図３】従来の防振用床支持脚構造を示す垂直断面図である。
【符号の説明】
【００３２】
(1) ：床基盤
(2) ：下部金属板
(3) ：防振材
(4) ：上部金属板
(5) ：支持脚
(6) ：雄ネジ
(7) ：ナット
【図１】
2005320818.tif 000005
【図２】
2005320818.tif 000006
【図３】
2005320818.tif 000007